(57)【特許請求の範囲】
【請求項１】
可動部の動作履歴を記録する光学機器であって、
揮発性メモリと、
不揮発性メモリと、
該光学機器が、前記可動部が動作しない非動作状態から該可動部が動作する動作状態に切り替えられた後、前記動作状態から前記非動作状態に切り替えられるまでの動作履歴を前記揮発性メモリに記録させ、該光学機器のレリーズスイッチのオン状態が解除されたことに応じて、前記揮発性メモリに記録された前記動作履歴を前記不揮発性メモリに記録させる動作履歴記録手段とを有することを特徴とする光学機器。
【請求項２】
前記可動部は、フォーカスユニット、絞りユニット及び防振ユニットを含むことを特徴とする請求項１に記載の光学機器。
【請求項３】
前記動作履歴記録手段は、前記レリーズスイッチの半押し操作が解除されると、前記揮発性メモリに記録された、前記フォーカスユニット及び前記防振ユニットの前記動作履歴を前記不揮発性メモリに記録させ、
前記レリーズスイッチの全押し操作が解除されると、前記揮発性メモリに記録された、前記フォーカスユニット、前記絞りユニット及び前記防振ユニットの前記動作履歴を前記不揮発性メモリに記録させることを特徴とする請求項２に記載の光学機器。
【請求項４】
前記光学機器は、静止画撮影モードと動画撮影モードとを有し、
前記動作履歴記録手段は、前記静止画撮影モードにおいて前記可動部の動作回数を前記動作履歴として前記揮発性及び前記不揮発性メモリに記録させ、前記動画撮影モードにおいて前記可動部の動作時間を前記動作履歴として前記揮発性及び不揮発性メモリに記録させることを特徴とする請求項１乃至３のいずれか１項に記載の光学機器。
【請求項５】
静止画撮影モードと動画撮影モードとを有し、可動部の動作履歴を記録する光学機器であって、
揮発性メモリと、
不揮発性メモリと、
前記可動部の動作履歴を記録する動作履歴記録手段を有し、
前記動作履歴記録手段は、
前記静止画撮影モードにおいて、前記光学機器が、前記可動部が動作しない非動作状態から前記可動部が動作する動作状態に切り替えられた後、前記動作状態から前記非動作状態に切り替えられるまでの前記動作履歴を前記揮発性メモリに記録させ、前記光学機器のレリーズスイッチのオン状態が解除されたことに応じて、前記揮発性メモリに記録された前記動作履歴を前記不揮発性メモリに記録させ、
前記動画撮影モードにおいて、前記光学機器が、前記可動部が動作しない非動作状態から前記可動部が動作する動作状態に切り替えられた後、前記動作状態から前記非動作状態に切り替えられるまでの前記動作履歴を、所定の時間ごとに前記不揮発性メモリに記録させることを特徴とする光学機器。
【発明の詳細な説明】
【技術分野】
【０００１】
本発明は、カメラや交換レンズ等の光学機器に関し、特に動作履歴を記録可能な光学機器に関する。
【背景技術】
【０００２】
光学機器には、不揮発性メモリ（ＥＥＰＲＯＭやフラッシュＲＯＭ等）に、その光学機器の使用状況を把握するために動作履歴（動作回数：例えばカメラの撮影回数）を記録するものがある。光学機器メーカーでは、動作履歴に基づいて、該光学機器のメンテナンスにおける部品の交換の必要性や修理の内容を決定する。ただし、不揮発性メモリには書き込み回数の限界があり、最近では多くても１００万回程度と言われている。
【０００３】
特許文献１には、予め設定されたパン位置やチルト位置等の複数のプリセットポジションに選択的に又は順次動作するプリセット動作の回数や自動的なパンニング動作（オートパン）の累積動作時間等の動作履歴を記録する監視カメラが開示されている。記録された動作履歴は、修理用の情報として使用される。また、特許文献２には、交換レンズに設けられた絞りの累積動作回数が該絞りの保証動作回数に達すると、警告を表示するカメラシステムが開示されている。
【先行技術文献】
【特許文献】
【０００４】
【特許文献１】特開２００１−１００２８１号公報
【特許文献２】特開２００５−１４０９１４号公報
【発明の概要】
【発明が解決しようとする課題】
【０００５】
特許文献１にて開示された監視カメラでは、プリセット動作が行われるごとに不揮発性メモリに記録されたプリセット動作回数を書き換えたり、所定時間（例えば、５分）が経過するごとに不揮発性メモリに記録された時間カウント値を書き換えたりする。このため、頻繁にプリセット動作が行われたり、オートパンの累積動作時間の検出が長期間にわたって行われたりすると、早期に不揮発性メモリでの書き込み（書き換え）回数が上限値に達する可能性がある。
【０００６】
このような事態を回避するためには、不揮発性メモリの容量を大きくしたり、複数の不揮発性メモリを使用したりすることも可能であるが、光学機器のコストが高くなってしまう。また、不揮発性メモリへの書き込み回数を抑えるために、オートパンの累積動作時間を検出する時間間隔を長くすると、その時間間隔内にてオートパンが行われたにもかかわらず累積動作時間としてカウントされないというように、累積動作時間の精度が低下する。
【０００７】
また、特許文献２にて開示されたカメラシステムでも、絞りが動作するごとに不揮発性メモリに記録された累積動作回数を書き換える。特に、連写が行われた場合には、毎回の撮影ごとに累積動作回数を書き換える。したがって、特許文献１にて開示された監視カメラと同様の問題が生ずる可能性がある。
【０００８】
なお、最近のカメラでは、静止画撮影と動画撮影の両方が可能であること一般的となっている。そして、静止画撮影と動画撮影には、カメラに要求される動作も異なっている。例えば、静止画撮影には、オートフォーカスによってフォーカスレンズを高速で移動させてピントを瞬間的に合わせ、絞りやシャッターも高速で動作させることによる速写性が求められる。一方、動画撮影には、フォーカスレンズや絞りを低速かつ滑らかに移動させてピント状態や撮影画像の明るさが急激に変動しないようにすること、すなわち撮影画像の安定性が求められる。したがって、必ずしも静止画撮影と動画撮影とで同じように動作履歴を記録することが必要とは限らない。
【０００９】
本発明は、不揮発性メモリへの書き込み回数を抑えつつ、不揮発性メモリに高精度な動作履歴を記録することが可能な光学機器を提供する。また、本発明は、静止画撮影と動画撮影とで異なる可動部の駆動方法に応じた適切な動作履歴を記録することが可能な光学機器を提供する。
【課題を解決するための手段】
【００１０】
本発明の一側面としての光学機器は、可動部の動作履歴を記録する光学機器であって、揮発性メモリと、不揮発性メモリと、該光学機器が、前記可動部が動作しない非動作状態から該可動部が動作する動作状態に切り替えられた後、前記動作状態から前記非動作状態に切り替えられるまでの動作履歴を前記揮発性メモリに記録させ、該光学機器のレリーズスイッチのオン状態が解除されたことに応じて、前記揮発性メモリに記録された前記動作履歴を前記不揮発性メモリに記録させる動作履歴記録手段とを有することを特徴とする。
【００１１】
また、本発明の他の一側面しての光学機器は、静止画撮影モードと動画撮影モードとを有し、可動部の動作履歴を記録する光学機器であって、揮発性メモリと、不揮発性メモリと、前記可動部の動作履歴を記録する動作履歴記録手段を有し、前記動作履歴記録手段は、前記静止画撮影モードにおいて、前記光学機器が、前記可動部が動作しない非動作状態から前記可動部が動作する動作状態に切り替えられた後、前記動作状態から前記非動作状態に切り替えられるまでの前記動作履歴を前記揮発性メモリに記録させ、前記光学機器のレリーズスイッチのオン状態が解除されたことに応じて、前記揮発性メモリに記録された前記動作履歴を前記不揮発性メモリに記録させ、前記動画撮影モードにおいて、前記光学機器が、前記可動部が動作しない非動作状態から前記可動部が動作する動作状態に切り替えられた後、前記動作状態から前記非動作状態に切り替えられるまでの前記動作履歴を、所定の時間ごとに前記不揮発性メモリに記録させることを特徴とする。
【発明の効果】
【００１２】
本発明によれば、可動部の動作ごとに不揮発性メモリに動作履歴を書き込む場合に比べて、不揮発性メモリへの書き込み回数を減少させることができる。また、不揮発性メモリに書き込まれるまでの動作履歴は揮発性メモリに記録されるので、不揮発性メモリに記録される動作履歴の精度が低下することも回避できる。
【００１３】
また、本発明によれば、静止画撮影モードと動画撮影モードでの可動部の駆動方法の違いに応じた適切な動作履歴を不揮発性メモリに記録することができる。
【図面の簡単な説明】
【００１４】
【図１】本発明の実施例である交換レンズ及びこれが装着されたカメラ本体とを含むカメラシステムの構成を示すブロック図。
【図２】実施例のカメラシステムでの処理を示すフローチャート。
【図３】実施例のカメラシステムでの処理を示すフローチャート。
【発明を実施するための形態】
【００１５】
以下、本発明の実施例について図面を参照しながら説明する。
【００１６】
図１には、交換レンズと、該交換レンズの着脱が可能なカメラ本体とにより構成されるカメラシステムの電気的構成を示している。なお、本実施例では、交換レンズが「光学機器」に相当する。
【００１７】
同図において、１は交換レンズ（以下、レンズという）である。２はレンズ１内に組み込まれた各種ユニット、アクチュエータ、センサ等を制御するマイクロコンピュータ（以下、レンズマイコンという）である。３はレンズマイコン２内に設けられ、各種演算や処理を行うＣＰＵコアである。
【００１８】
４はレンズマイコン２内に設けられた揮発性メモリとしてのＲＡＭ（第１の記録手段）である。このＲＡＭ４には、後述するフォーカスユニット、絞りユニット及び防振ユニットの動作履歴としての累積駆動回数（累積動作回数）や累積駆動時間（累積動作時間）を一時的に記録（蓄積）したり、他の情報を一時的に保存したりする。動作履歴記録手段としてのレンズマイコン２（ＣＰＵコア３）は、動作履歴のＲＡＭ４及び後述するＥＥＰＲＯＭへの記録を制御する。
【００１９】
５はレンズマイコン２内に設けられた読み出し専用の不揮発性メモリとしてのフラッシュＲＯＭである。
【００２０】
６はＣＰＵコア３に付随してレンズマイコン２内に設けられた周辺素子群であり、Ｉ／Ｏポート、外部割込み入力ポート、タイマー、Ａ／Ｄコンバータ等を含む。
【００２１】
７はカメラ本体２０に設けられたマイクロコンピュータ（以下、カメラマイコンという）２１と通信するためのレンズ側通信インターフェースユニットである。レンズ側通信インターフェースユニット７は、レンズ１をカメラ本体２０に装着するための不図示のマウントに固定されている。
【００２２】
８はレンズ１内に設けられた不図示の撮影光学系に含まれるフォーカスレンズと、該フォーカスレンズを移動させるフォーカスモータとを含むフォーカスユニットである。レンズマイコン２は、カメラマイコン２１からのレンズ駆動命令に応じてフォーカスモータを駆動し、フォーカスレンズを合焦位置に移動させるオートフォーカス（ＡＦ）を行う。
【００２３】
９はフォーカスユニット８のフォーカスモータの回転量を検出するための回転量検出器であり、フォーカスモータとともに回転するパルス板と、該パルス板によって遮光状態と受光状態とに切り替えられるフォトインタラプタとにより構成されている。レンズマイコン２は、回転量検出器９により検出されるフォーカスモータの回転量が、カメラマイコン２１からのレンズ駆動命令に含まれるフォーカス駆動量情報に対応した回転量となるようにフォーカスモータを駆動する。
【００２４】
１０はレンズ１を通過する光量を調節するための絞りユニットである。絞りユニット１０の内部には、光量調節用の複数の絞り羽根と該絞り羽根を光軸に直交する面内で移動させる絞りモータとが組み込まれている。
【００２５】
１１は手振れ等の振れを検出する角速度センサと、光軸に直交する面内でシフトして像振れを低減する補正レンズと、該補正レンズをシフトさせるシフトアクチュエータ等を含む防振ユニットである。フォーカスユニット８、絞りユニット１０及び防振ユニット１１は、レンズ１に設けられた可動部である。
【００２６】
１２は補正レンズのシフト位置を検出するための補正位置検出器であり、ホール素子等の磁気的センサやフォトインタラプタ、フォトリフレクタ等の光学的センサを用いて構成されている。
【００２７】
レンズマイコン２は、カメラマイコン２１からの防振駆動命令に応じて、角速度センサからの出力に基づいてシフトアクチュエータを駆動する。これにより、補正レンズがシフトし、防振動作が行われる。
【００２８】
１３は不揮発性メモリとしてのＥＥＰＲＯＭ（第２の記録手段）であり、ＲＡＭ４にて記録されたフォーカス、絞り及び防振ユニット８，１０，１１の累積駆動回数（累積動作回数）や累積駆動時間（累積動作時間）を、書き換え可能に記録する。なお、ＥＥＰＲＯＭ１３に代えて、レンズマイコン２に内蔵された不揮発性メモリであるフラッシュＲＯＭ５に動作履歴を記録させるようにしてもよい。
【００２９】
カメラ本体２０において、カメラマイコン２１は、カメラ本体２０の全ての動作の制御を司る。カメラマイコン２１は、レンズマイコン２と同様に、ＣＰＵコアと、揮発性メモリであるＲＡＭと、不揮発性メモリであるフラッシュＲＯＭと、周辺素子群等を含む。
【００３０】
２２は操作部材（レリーズスイッチ）である。該レリーズスイッチ２２の半押し（第１ストローク）操作（以下、Ｓ１ＯＮという）がなされると、カメラマイコン２１は、ＡＦ、測光及び防振動作を開始させる。また、レリーズスイッチ２２の全押し（第２ストローク）操作（以下、Ｓ２ＯＮという）がなされると、絞りユニット１０が、測光結果に基づいてカメラマイコン２１により決定された絞り値に対応する開口径まで絞り込まれる。さらに、後述するシャッターユニットの動作が開始される。これにより、静止画の撮影が行われる。
【００３１】
このように、レリーズスイッチ２２は、レンズ１を、可動部としてのフォーカスユニット８、絞りユニット１０及び防振ユニット１１が動作しない非動作状態とこれらが動作する動作状態に切り替える操作手段として機能する。
【００３２】
２３はカメラ本体２０の動作モード（撮影モード）を設定する、言い換えれば切り替えるために操作されるモードスイッチ（モード切替手段）である。カメラ本体２０において設定可能な撮影モードとしては、静止画撮影モードと動画撮影モードがある。その他、静止画撮影においては、シャッター優先、絞り優先、オート、単独撮影、連続撮影等の撮影モードも設定することができる。
【００３３】
２４はレンズ側通信インターフェースユニット７を介してレンズ１と通信するためのカメラ側通信インターフェースユニットである。カメラ側通信インターフェースユニット２４は、レンズ１の装着を受ける不図示のマウントに固定されている。
【００３４】
２５は撮影光学系により形成された被写体像を光電変換する、ＣＣＤセンサやＣＭＯＳセンサ等の撮像素子である。２６は撮像素子２５からのアナログ出力信号をデジタル信号（画像データ）に変換するＡ／Ｄ変換器である。
【００３５】
２７はＡ／Ｄ変換器２６からの画像データを一時的に記憶するメモリである。２８は被写体からの反射光を検出する測光センサである。この測光センサ２８からの情報に基づいてシャッター速度や絞り値が決定される。
【００３６】
２９はシャッターユニットであり、開閉動作することで撮像素子２５を適正な光量で露光させる。
【００３７】
３０はＡＦセンサであり、静止画撮影において、位相差検出方式により撮影光学系の焦点状態を検出する。カメラマイコン２１は、ＡＦセンサ３０による検出結果に基づいて、合焦を得るためのフォーカスモータの駆動量（フォーカス駆動量情報）を算出し、該フォーカス駆動量情報を含むレンズ駆動命令をレンズマイコン２に送信する。
【００３８】
一方、動画撮影においては、カメラマイコン２１は、撮像素子２５からの出力を用いて生成した画像データ（映像信号）の高周波成分を抽出してＡＦ評価値を取得する。そして、該ＡＦ評価値がピークとなる位置にフォーカスレンズを移動させるようレンズ駆動命令をレンズマイコン２に送信する。
【００３９】
３１は外部インターフェースユニットであり、パーソナルコンピュータやフラッシュメモリ等の外部装置と接続可能なＵＳＢコネクタを有している。
【００４０】
ここで、本実施例におけるフォーカス、絞り及び防振ユニット８，１０，１１の動作履歴（累積駆動回数や累積駆動時間）と、それらの性能が維持可能な動作限界について説明する。
【００４１】
静止画撮影においては、一般に、フォーカス、絞り及び防振ユニット８，１０，１１は高速で駆動され、かつそれらの駆動回数も多い。これに対し、動画撮影においては、フォーカス、絞り及び防振ユニット８，１０，１１は、静止画撮影に比べて低速で、かつ長時間継続して駆動されることが多い。このような静止画撮影と動画撮影によって異なる駆動方法が、フォーカス、絞り及び防振ユニット８，１０，１１のメカニカルな耐久性に対してどちらが不利かは一概には判断できない。このため、本実施例では、静止画撮影モードと動画撮影モードとで、記録する動作履歴の種類を異ならせる。
【００４２】
具体的には、静止画撮影モードでは、フォーカス、絞り及び防振ユニット８，１０，１１の累積駆動回数を記録する。ただし、これらの累積駆動時間も合わせて記録してもよい。一方、動画撮影モードでは、フォーカス、絞り及び防振ユニット８，１０，１１の累積駆動時間を記録する。
【００４３】
そして、静止画撮影では、例えば１０万回の累積駆動回数を動作限界とし、動画撮影では、例えば１０００時間を動作限界とする。ただし、静止画撮影での累積駆動回数が１５万回に達したとしても、動画撮影での累積駆動時間が１００時間であれば、動作限界に達していないとする判断基準を設けておいてもよい。これら累積駆動回数や累積駆動時間の情報により、レンズ１のオーバーホール時に、フォーカス、絞り及び防振ユニット８，１０，１１を交換するか分解清掃のみで済ませるか等の判断を行うことができる。
【００４４】
図２及び図３のフローチャートには、本実施例におけるカメラマイコン２１及びレンズマイコン２の処理を示している。ここでは、静止画撮影モードにおいて、フォーカス、絞り及び防振ユニット８，１０，１１の累積駆動回数と累積駆動時間を記録し、動画撮影モードでは、それらの累積駆動時間を記録する場合について説明する。
【００４５】
なお、この処理は、カメラマイコン２１及びレンズマイコン２のそれぞれに格納されたコンピュータプログラムに従って実行される。また、図２及び図３において、同じ英字が付された部分は互いに繋がっていることを示す。
【００４６】
図２において、カメラ本体２０に設けられた電源スイッチが投入（ＯＮ）されると、ステップ１００にて、カメラマイコン２１は、モードスイッチ２３により設定されている撮影モードが静止画撮影モードか動画撮影モードかを判定する。静止画撮影モードである場合はステップ１０１に進み、動画撮影モードである場合はステップ２０１及びステップ２１１に進む。カメラマイコン２１は、設定されている撮影モードの情報をレンズマイコン２に送信し、レンズマイコン２はその情報をＲＡＭ４に格納する。
（静止画撮影モード）
ステップ１０１では、カメラマイコン２１は、レリーズスイッチ２２がＳ１ＯＮ（すなわち、フォーカス及び防振ユニット８，１１の動作状態）になったか否かを判断する。Ｓ１ＯＮになっていなければステップ１０１を繰り返し、Ｓ１ＯＮになったときはステップ１０２に進む。
【００４７】
ステップ１０２では、カメラマイコン２１は、ＡＦセンサ３０による焦点状態の検出と測光センサ２８による測光を行う。そして、ＡＦセンサ３０による検出結果に基づいて、合焦を得るためのフォーカス駆動量情報を算出し、該フォーカス駆動量情報を含むレンズ駆動命令をレンズマイコン２に送信する。また、カメラマイコン２１は、測光センサ２８からの情報に基づいて、シャッター速度や絞り値を決定する。さらに、カメラマイコン２１は、レンズマイコン２に防振駆動命令を送信する。そして、ステップ１０３に進む。
【００４８】
ステップ１０３では、レンズマイコン２は、フォーカス駆動量情報に基づいて、フォーカスユニット８にフォーカスレンズを駆動させる。また、レンズマイコン２は、防振駆動命令に応じて、防振ユニット１１の駆動を開始させる。さらに、レンズマイコン２は、フォーカスユニット８及び防振ユニット１１の駆動時間（動作時間）を得るための内部タイマーのカウントを開始させる。
【００４９】
次に、ステップ１０４では、レンズマイコン２は、ＲＡＭ４に記録されているフォーカスユニット８及び防振ユニット１１の累積駆動回数に１を加える。また、レンズマイコン２は、フォーカスユニット８の駆動が終了すると（合焦状態が得られると）、フォーカスユニット８用の内部タイマーによりカウントされた駆動時間を、ＲＡＭ４に記録されているフォーカスユニット８の累積駆動時間に加算する。
【００５０】
次に、ステップ１０５では、カメラマイコン２１は、レリーズスイッチ２２のＳ１ＯＮが解除（ＯＦＦ）された（すなわち、フォーカス及び防振ユニット８，１１の非動作状態になった）か否かを判断する。Ｓ１ＯＮが解除されていなければステップ１０６に進み、Ｓ１ＯＮが解除された場合はステップ１２０に進む。このとき、カメラマイコン２１は、Ｓ１ＯＮが解除されたことを示す情報をレンズマイコン２に送信する。
【００５１】
ステップ１０６では、カメラマイコン２１は、レリーズスイッチ２２がＳ２ＯＮ（すなわち、絞りユニット１０の非動作状態）になったか否かを判断する。Ｓ２ＯＮになっていなければステップ１０５に戻り、Ｓ２ＯＮになったときはステップ１０７に進む。
【００５２】
ステップ１０７では、カメラマイコン２１は、ステップ１０２で決定した絞り値の情報をレンズマイコン２に送信し、絞りユニット１０を該絞り値に対応する開口径に設定させる。このとき、レンズマイコン２は、絞りユニット１０の駆動時間を内部タイマーによってカウントし、カウントした結果をＲＡＭ４に記録されている絞りユニット１０の累積駆動時間に加算する。また、レンズマイコン２は、ＲＡＭ４に記録されている絞りユニット１０の累積駆動回数に１を加える。
【００５３】
また、カメラマイコン２１は、ステップ１０２で決定したシャッター速度でシャッターユニット２９を動作させ、撮像素子２５を露光させる。このようにして、撮影動作が行われ、得られた静止画（撮影画像）は不図示の記録媒体（半導体メモリや光ディスク）に記録される。そして、ステップ１０８に進む。
【００５４】
ステップ１０８では、カメラマイコン２１は、レリーズスイッチ２２のＳ２ＯＮが解除（ＯＦＦ）された（すなわち、絞りユニット１０の非動作状態になった）か否かを判断する。Ｓ２ＯＮが解除されていない場合は、連写を行うためにステップ１０２に戻る。Ｓ２ＯＮが解除された及びＳ１ＯＮが解除された場合は、ステップ１２０に進む。このとき、カメラマイコン２１は、Ｓ２ＯＮ及びＳ１ＯＮが解除されたことを示す情報をレンズマイコン２に送信する。
【００５５】
ステップ１０５又はステップ１０８で、Ｓ１ＯＮ又はＳ２ＯＮが解除されたことに応じて、レンズマイコン２は以下の処理を行う。
【００５６】
ステップ１２０では、レンズマイコン２は、防振ユニット１１用の内部タイマーによりカウントされた駆動時間を、ＲＡＭ４に記録されている防振ユニット１１の累積駆動時間に加算する。そして、ステップ１２１に進む。
【００５７】
ステップ１２１では、レンズマイコン２は、ＲＡＭ４に記録されたフォーカス、絞り及び防振ユニット８，１０，１１の累積駆動回数と累積駆動時間を、ＥＥＰＲＯＭ１３に記録された累積駆動回数と累積駆動時間に加算する。そして、加算した累積駆動回数及び累積駆動時間で、ＥＥＰＲＯＭ１３に記録された累積駆動回数及び累積駆動時間を書き換える。その後、ステップ１３０に進む。
【００５８】
ステップ１３０では、カメラマイコン２１は、電源スイッチがＯＦＦされたか否かを判断する。ＯＦＦされていなければステップ１００に戻り、ＯＦＦされたときは本処理を終了する。
（動画撮影モード）
図３に示すステップ２０１〜ステップ２０４は、動画撮影モードでのレンズマイコン２での処理を示す。また、ステップ２１２〜ステップ２１４は、動画撮影モードでのカメラマイコン２１での処理を示す。
【００５９】
ステップ２０１では、レンズマイコン２は、ＥＥＰＲＯＭ１３でのフォーカス、絞り及び防振ユニット８，１０，１１の累積駆動時間の書き換えを所定時間ごとに行うため、ＥＥＰＲＯＭ書き換え用の内部タイマーのカウントを開始させる。そして、ステップ２０２に進む。
【００６０】
動画撮影モードにおいては、録画スイッチ（レリーズスイッチ２２）の操作の有無にかかわらず、カメラ本体２０に設けられた不図示のモニタディスプレイに映像信号に対応する動画が表示され、フォーカス、絞り及び防振ユニット８，１０，１１が駆動される。このため、動画撮影モードでは、ＥＥＰＲＯＭ１３でのフォーカス、絞り及び防振ユニット８，１０，１１の累積駆動時間の書き換えを所定時間ごとに行う。
【００６１】
ステップ２０２では、レンズマイコン２は、フォーカス、絞り及び防振ユニット８，１０，１１の駆動時間を得るために、駆動時間計測用の内部タイマーによるカウントを開始させる。
【００６２】
次に、ステップ２０３では、レンズマイコン２は、ステップ２０１にて開始させた内部タイマーのカウント値（経過時間）が所定時間に達したか否かを判断する。所定時間に達していない場合はこのステップを繰り返し、所定時間に達した場合はステップ２０４に進む。
【００６３】
ステップ２０４では、レンズマイコン２は、ステップ２０２にて開始させた内部タイマーのカウントを停止させ、そのカウント値である駆動時間を、ＥＥＰＲＯＭ１３に記録された累積駆動時間に加算する。そして、加算した累積駆動時間で、ＥＥＰＲＯＭ１３に記録された累積駆動時間を書き換える。その後、図２のステップ１１０に進む。
【００６４】
一方、ステップ２１１では、カメラマイコン２１は、録画スイッチがＯＮされたか否かを判断する。録画スイッチがＯＮされていない場合はこのステップを繰り返し、ＯＮされた場合はステップ２１２に進む。
【００６５】
ステップ２１２では、カメラマイコン２１は、映像信号を上述した記録媒体に記録する。
【００６６】
そして、ステップ２１３では、カメラマイコン２１は、録画スイッチがＯＦＦされたか否かを判断する。録画スイッチがＯＦＦされていない場合はこのステップを繰り返し、ＯＦＦされた場合はステップ２１４に進む。
【００６７】
ステップ２１４では、カメラマイコン２１は、映像信号の記録媒体への記録を停止する。そして、図２のステップ１１０に進み、電源スイッチがＯＦＦされたか否かに応じて、ステップ１００に戻るか本処理を終了する。
【００６８】
なお、カメラ本体が、静止画撮影モードにおいて被写体を観察するためにモニタディスプレイに動画（ライブビュー画像）を表示する場合には、ステップ１０１にてレリーズスイッチ２２がＳ１ＯＮとされるまでステップ２０１〜２０４の処理を行ってもよい。
【００６９】
このように、本実施例では、静止画撮影モードにおいて、レリーズスイッチ２２のＳ１ＯＮ又はＳ１ＯＮとＳ２ＯＮの両方が解除される（ＯＦＦとされる）まではフォーカス、絞り及び防振ユニット８，１０，１１の累積駆動回数及び累積駆動時間がＲＡＭ４に記録（蓄積）される。そして、Ｓ１ＯＮ及びＳ２ＯＮの解除に応じて、ＲＡＭ４に記録された累積駆動回数及び累積駆動時間とそれまでＥＥＰＲＯＭ１３に書き込まれていた累積駆動回数及び累積駆動時間とが加算され、該加算値でＥＥＰＲＯＭ１３が書き換えられる。これにより、フォーカス、絞り及び防振ユニット８，１０，１１の駆動ごとにＥＥＰＲＯＭ１３への累積駆動回数及び累積駆動時間の書き込み（書き換え）を行う場合に比べて、書き込み回数を減少させることができる。
【００７０】
また、ＲＡＭ４での累積駆動回数及び累積駆動時間の記録は、フォーカス、絞り及び防振ユニット８，１０，１１の駆動ごとに行われるので、ＥＥＰＲＯＭ１３に記録される累積駆動回数及び累積駆動時間の精度が低下することも回避できる。
【００７１】
さらに、本実施例では、静止画撮影モードでは、フォーカス、絞り及び防振ユニット８，１０，１１の累積駆動回数（及び累積駆動時間）を記録し、動画撮影モードでは累積駆動時間を記録する。これにより、フォーカス、絞り及び防振ユニット８，１０，１１が高速かつ多頻度で駆動される静止画撮影モードとそれらが低速かつ長時間継続して駆動される動画撮影モードでの可動部の駆動方法の違いに応じた適切な動作履歴を記録することができる。
【００７２】
以上説明した各実施例は代表的な例にすぎず、本発明の実施に際しては、各実施例に対して種々の変形や変更が可能である。
【００７３】
例えば、上記実施例では、レンズ１においてフォーカス、絞り及び防振ユニット８，１０，１１の動作履歴を記録する場合について説明した。しかし、カメラ本体（光学機器）２０において、シャッターユニット２９の動作履歴を記録したり、クイックリターンミラーを有する場合にその動作履歴を記録したりするようにしてもよい。
【００７４】
また、上記実施例ではレンズ交換型のカメラシステムについて説明したが、本発明は、レンズ一体型のカメラ（静止画及び動画の撮影が可能なデジタルスチルカメラやビデオカメラ）にも適用することができる。
【産業上の利用可能性】
【００７５】
不揮発性メモリへの書き込み回数を抑えつつ、不揮発性メモリに高精度な動作履歴を記録することが可能な光学機器を実現することができる。
【符号の説明】
【００７６】
１  交換レンズ
２  レンズマイコン
３  ＣＰＵコア
４  ＲＡＭ
５  フラッシュＲＯＭ
８  フォーカスユニット
１０  絞りユニット
１１  防振ユニット
１３  ＥＥＰＲＯＭ
２０  カメラ本体
２１  カメラマイコン
２２  レリーズスイッチ
２３  モードスイッチ
２５  撮像素子
２８  測光センサ
２９  シャッターユニット
３０  ＡＦセンサ
【図１】
0005483900.tif 000002
【図２】
0005483900.tif 000003
【図３】
0005483900.tif 000004